(57)【要約】【課題】  泡だち、泡質（細かい泡）が良好であり、且つすすぎ時にヌルつく事がなく、さっぱりとした使用感で洗浄後は、しっとりとした肌感触が得られる固形石鹸組成物を提供する。【解決手段】  アルカリ金属水酸化物により中和もしくは鹸化して得られる脂肪酸塩に、トレハロースを０．０１〜５．０重量％及び、モウソウチク抽出物を０．０１〜５．０重量％配合することにより、泡だち、泡質（細かい泡）が良好であり、且つすすぎ時にヌルつく事がなく、さっぱりとした使用感で、洗浄後はしっとりとした肌感触を有する固形石鹸組成物を得ることが出来る。  【選択図】  なし【特許請求の範囲】
【請求項１】
トレハロース及びモウソウチク抽出物を、アルカリ金属水酸化物により中和もしくは鹸化して得られる脂肪酸塩に配合してなる固形石鹸組成物。
【請求項２】
トレハロース及びモウソウチク抽出物を、前記固形石鹸組成物全量中の総量として、各々０．０１〜５．０重量％含有することを特徴とする請求項１記載の固形石鹸組成物。
【発明の詳細な説明】
【技術分野】
【０００１】
本発明は、泡だち，泡質（細かい泡）が良好であり、且つすすぎ時にヌルつく事がなく、さっぱりとした使用感で洗浄後は、しっとりとした肌感触を有する固形石鹸組成物に関する。
【背景技術】
【０００２】
従来より、洗浄剤組成物において、泡立ち、洗浄力、使用時の感触等を向上させる方法として様々な方法が知られている。（例えば、特許文献１及び２参照。）。しかしながら、これらはいずれも、泡だち，泡質（細かい泡）、且つすすぎ時にヌルつく事がなく、さっぱりとした使用感で洗浄後は、しっとりとした肌感触を同時に満たしてくれる技術ではなく、充分に満足が得られていない。
【０００３】
一方で、トレハロースのアルキルエーテル体及び／又はトレハロースのアルケニルエーテル体とトレハロースを含有することにより、安全性に優れ、使用時の感触に優れ、洗浄後の肌の感触にも優れた皮膚洗浄剤が知られているが（例えば、特許文献３参照。）、泡だち，泡質（細かい泡）、の面で充分な満足が得られていない。
【０００４】
【特許文献１】特公平６−２３０８５号公報
【特許文献２】特開平１０−３１０７９８号公報
【特許文献３】特開２００２−３６３０６４号公報
【発明の開示】
【発明が解決しようとする課題】
【０００５】
そこで本発明においては、泡だち、泡質（細かい泡）が良好であり、且つすすぎ時にヌルつく事がなく、さっぱりとした使用感で洗浄後は、しっとりとした肌感触が得られる固形石鹸組成物を提供する。
【課題を解決するための手段】
【０００６】
上記目的を達成するため、本発明者らは、鋭意研究した結果、トレハロース及びモウソウチク抽出物を、アルカリ金属水酸化物により中和もしくは鹸化して得られる脂肪酸塩に配合してなる固形石鹸組成物は、泡だち、泡質（細かい泡）が良好であり、且つすすぎ時にヌルつく事がなく、さっぱりとした使用感で洗浄後は、しっとりとした肌感触を有する固形石鹸組成物であることを見出し、本発明に至った。
【０００７】
すなわち、トレハロース及びモウソウチク抽出物を、アルカリ金属水酸化物により中和もしくは鹸化して得られる脂肪酸塩に石鹸組成物全量中の総量として、各々０．０１〜５．０重量％含有してなる固形石鹸組成物によって、この目的は達成される。
【発明の効果】
【０００８】
本発明によれば、泡だち、泡質（細かい泡）が良好であり、且つすすぎ時にヌルつく事がなく、さっぱりとした使用感で洗浄後は、しっとりとした肌感触を有する固形石鹸組成物を得ることができるものである。
【発明を実施するための最良の形態】
【０００９】
以下、本発明を実施するための最良の形態を説明する。
【００１０】
本発明に用いられるトレハロースは、２分子のグルコースがα−１，１結合した非還元性の２糖類で、植物や微生物などの自然界に広く存在する糖である。
【００１１】
本発明に用いられるトレハロースの含有量は、固形石鹸組成物全量中の総量として、０．０１〜５．０重量％であり、好ましくは０．１〜３．０重量％である。含有量が０．０１重量％未満では泡立ち，泡質（細かい泡）、洗浄後のしっとりとした肌感触効果が充分ではなく、５．０重量％を超えると剤系として含有が困難となる。
【００１２】
次に、本発明に用いられるモウソウチク抽出物は、マダケ属に属するモウソウチクから抽出されたものである。
【００１３】
本発明のモウソウチク抽出物は、マダケ属に属するモウソウチクを水、有機溶剤、あるいは水と有機溶剤の混合溶剤で抽出されたものであり、好ましくはモウソウチクの茎部分を用い、可能な限り細分化してチップ状、あるいは粉体状にしてから抽出されたものである。
【００１４】
モウソウチクの抽出方法は、特に限定されるものではないが、好ましくはモウソウチクを水蒸気の存在下、１２０〜１８０℃で水蒸気処理した後、室温に戻してから抽出溶剤にて抽出する。抽出は、水蒸気処理した後のモウソウチクを抽出溶剤に浸漬することで行われる。抽出溶剤は、炭素数１〜４のアルコールと水の混合液が好ましい。とりわけ、炭素数１〜４のアルコールとしてエタノールを用い、水４０％（容量％）以下、さらに好ましくは、水１５〜２０％（容量％）を含む含水エタノールとする。
【００１５】
本発明に用いられるモウソウチク抽出物の含有量は、固形石鹸組成物全量中の総量として、０．０１〜５．０重量％であり、好ましくは０．１〜３．０重量％である。含有量が０．０１重量％未満では、さっぱりとした使用感が得られず効果が充分ではなく、５．０重量％を超えると剤系として含有が困難となる。
【００１６】
本発明に用いられる、アルカリ金属水酸化物により中和もしくは鹸化して得られる脂肪酸塩は、パーム油、パーム核油、ヤシ油、オリーブ油、ツバキ油、大豆油、カポック油、トウモロコシ油、ゴマ油、サフラワー油、ナタネ油等の植物性油や、牛脂、豚脂、馬油等の動物性油とラウリン酸、ミリスチン酸、パルミチン酸、オレイン酸、リノール酸等の単体脂肪酸を一種以上混合して、水酸化ナトリウム等のアルカリ金属水酸化物により中和もしくは鹸化して得られるものである。
【００１７】
本発明の固形石鹸組成物には、本発明を目的を達成する範囲で、他の成分を適宜配合することが出来る。即ち、多価アルコール，高級アルコール，高級脂肪酸，ラノリン誘導体，蛋白誘導体，ポリエチレングリコールの脂肪酸エステル類等の油性成分，脂肪酸アルカノールアミド，アシルアミノ酸塩やポリオキシエチレン脂肪酸アミドエーテル等のアニオン性界面活性剤，ポリオキシエチレンアルキルエーテル及びアルキルアミンオキシド等の非イオン性界面活性剤，アルキルアミドプロピルベタイン等の両性界面活性剤，ヒドロキシプロピルメチルセルロース，ヒドロキシエチルセルロース等の水溶性高分子，カチオン性高分子〔ポリマーＪＲ（ユニオンカーバイドコーポレーション社製），ポリコートＮＨ（ヘンケル社製），マーコート５５０（メルク社製），ガフカット７５５Ｎ（ＧＡＦ社製）〕，トリクロサンやトリクロロカルバン，ヒノキチオール等の殺菌剤，アラントインやグリチルリチン酸ジカリウム等の消炎剤，アロエやカミツレ等の植物由来の抽出物，酸化防止剤，紫外線吸収剤，クエン酸等のＰＨ調整剤，合成色素及び天然色素，香料等を含むことができる。
【００１８】
本発明の固形石鹸組成物の製造方法としては、本発明の天然油脂及び／又は脂肪酸をアルカリ金属水酸化物により中和または鹸化して得られた石鹸組成物に、本発明のトレハロース及びモウソウチク抽出物と必要に応じて、前述の任意成分と加温しながら混合し、枠に流し込み、冷却固化し、切断、乾燥、成型する通常の枠練り製造方法や、混合、ロール練り、押し出し、成型する通常の機械練り製造方法でよい。
【実施例】
【００１９】
以下、実施例及び比較例によって本発明を詳細に説明する。なお、実施例および比較例に配合した各成分濃度は重量％（以下、単に％と略す）である。また、効果の測定は、以下の評価法によった。
【００２０】
「泡立ち、泡質（細かい泡）試験」各試料につき、２０名のパネラーを用い、試料の固形石鹸組成物で洗顔後、泡だち、泡質について下記評価基準で評価を行った。
記号            評価基準
◎  泡だち、泡質が良好と答えた人が１６人以上の場合
○  泡だち、泡質が良好と答えた人が１２〜１５人以上の場合
△  泡だち、泡質が良好と答えた人が７〜１１人以上の場合
×  泡だち、泡質が良好と答えた人が６人以下の場合
【００２１】
「すすぎ時のさっぱり感及び洗顔後のしっとり肌感触試験」女性パネラー２０名により、試料の固形石鹸組成物で洗顔後、すすぎ時のさっぱり感及び洗顔後のしっとり肌感触について下記評価基準で評価を行った。
記号            評価基準
◎  「さっぱり感と洗顔後のしっとり肌感触」が良いと答えた人が１６人以上の場合
○  「さっぱり感と洗顔後のしっとり肌感触」が良いと答えた人が１２〜１５人以上の        場合
△  「さっぱり感と洗顔後のしっとり肌感触」が良いと答えた人が７〜１１人以上の場
合
×  「さっぱり感と洗顔後のしっとり肌感触」が良いと答えた人が６人以下の場合
【００２２】
（実施例１）
パーム油，パーム核油の混合脂肪酸を用いて水酸化ナトリウムにより中和した。中和終了後、７０℃前後に保温したまま透明化剤として砂糖１１％、さらにグリセリン３％を加えた後、６０℃前後まで冷却し、透明石鹸ベースを得た。この透明石鹸ベース９７．０％にトレハロース１．５％及びモウソウチク抽出物１．５％を加え、均一に混合分散した後、枠に流し込み、本発明の固形石鹸組成物を得た（枠練り製造方式）。
【００２３】
（比較例１）
次に比較の為にトレハロースを配合しない他は、実施例１の固形石鹸組成物と同様の成分からなる固形石鹸組成物を得た。この固形石鹸組成物について前述の各試験を行い、結果を次に示す。
【００２４】
【表１】
2009256535.tif 000002
【００２５】
ここに記載した通り、実施例１の本発明の固形石鹸組成物は、比較例１の固形石鹸組成物よりも優れた性能を示した。
【００２６】
（比較例２、比較例３）
次に比較の為に、モウソウチク抽出物を配合しない他は、実施例１の固形石鹸組成物と同様の成分からなる比較例２の固形石鹸組成物を得た。また、トレハロース及びモウソウチク抽出物を配合しない比較例３の固形石鹸組成物として、前記の実施例１と同様に調整した。これらの固形石鹸組成物について前述の各試験を行い、結果を次に示す。
【００２７】
【表２】
2009256535.tif 000003
【００２８】
ここに記載した通り、比較例２、比較例３の固形石鹸組成物は、実施例１の各試験結果よりも劣る。
【００２９】
（実施例２）
ヤシ油、ナタネ油、パーム油の混合油を水酸化ナトリウムにより鹸化した。鹸化終了後、７０℃前後に保温したままソルビトール１０％を加え、更にプロピレングリコール５％を加えて混合溶解し、透明石鹸ベースを得た。この透明石鹸ベース９５．８％とヤシ油脂肪酸ジエタノールアミド４．０％を混合し、トレハロース０．１％及びモウソウチク抽出物０．１％を加えて均一に混合分散した後枠に流し込み、冷却固化した後に裁断し、乾燥後、成型して（通常の枠練り方式による）本発明の固形石鹸組成物を得た。
【００３０】
（実施例３）
ヤシ油、オリーブ油、パーム油由来の混合脂肪酸を水酸化ナトリウムにより中和した。中和終了後、７０℃前後に保温したままマルビット９％と１，３−ブチレングリコール３％を加えて混合溶解し、透明石鹸ベースを得た。この透明石鹸ベース９５．０％とＮ−混合脂肪酸−Ｌ−グルタミン酸トリエタノールアミン塩４％を混合し、６０℃前後まで冷却し、トレハロース０．５％及びモウソウチク抽出物０．５％を加えて均一に混合分散した後枠に流し込み、冷却固化した後に裁断し、乾燥後、成型して（通常の枠練り方式による）本発明の固形石鹸組成物を得た。
【００３１】
（実施例４）
パーム核油、大豆油、グレープシード油、パーム油由来の混合脂肪酸を水酸化ナトリウムにより中和した。中和終了後、７０℃前後に保温したまま砂糖９％とジグリセリン３％を加えて混合溶解し、透明石鹸ベースを得た。この透明石鹸ベース９０．０％とヤシ油脂肪酸アミドプロピルベタイン３．０％を混合し、６０℃前後まで冷却し、トレハロース３．０％及びモウソウチク抽出物４．０％を加えて均一に混合分散した後、枠に流し込み、冷却固化した後に裁断し、乾燥後、成型して（通常の枠練り方式による）本発明の固形石鹸組成物を得た。
【００３２】
実施例２〜４の固形石鹸組成物は、本発明の実施例１のそれと同等の良好な結果を示した。
【００３３】
以上記載のように、本発明は、泡だち、泡質（細かい泡）が良好であり、且つすすぎ時にヌルつく事がなく、さっぱりとした使用感で洗浄後は、しっとりとした肌感触が得られる固形石鹸組成物を提供することは明らかである。